(57)【要約】【課題】建物へのアクセスを制御する方法が提供される。【解決手段】方法は、訪問者用モバイルデバイスの訪問者のアクセス要求を受信する（４０４ａ、４０４ｂ）ことと、訪問者用モバイルデバイスに割り当てられる居住者グループを決定し（４０６）、居住者グループが、少なくとも１つの居住者用モバイルデバイスを含むことと、居住者グループ内の居住者用モバイルデバイス及び管理者用デバイスのうちの少なくとも１つに訪問者のアクセス要求を転送する（４０８）ことと、居住者グループ内の居住者用モバイルデバイス及び管理者用デバイスの少なくとも１つからアクセス許可を受信する（４１０）ことと、訪問者用モバイルデバイスに、選択されたエレベータかご、選択されたドア、及び選択されたフロアのうちの少なくとも１つへのアクセスを許可する（４１２）こととを含む。【選択図】図３
2018174529.tif 000002
【特許請求の範囲】
【請求項１】
建物へのアクセスを制御する方法であって、
訪問者用モバイルデバイスの訪問者のアクセス要求を受信することと、
前記訪問者用モバイルデバイスに割り当てられる居住者グループを決定することであって、前記居住者グループが、少なくとも１つの居住者用モバイルデバイスを含むことと、
前記居住者グループ内の居住者用モバイルデバイス及び管理者用デバイスのうちの少なくとも１つに前記訪問者のアクセス要求を転送することと、
前記居住者グループ内の前記居住者用モバイルデバイス及び前記管理者用デバイスの少なくとも１つからアクセス許可を受信することと、
訪問者用モバイルデバイスに、選択されたエレベータかご、選択されたドア、及び選択されたフロアのうちの少なくとも１つへのアクセスを許可することとを含む、前記方法。
【請求項２】
前記訪問者の要求が、前記居住者用モバイルデバイスに転送され、
前記アクセス許可が、前記居住者用モバイルデバイスから受信される、請求項１に記載の方法。
【請求項３】
前記居住者用モバイルデバイス、前記管理者用デバイス、及び前記管理者用デバイスのうちの少なくとも１つを使用して居住者グループを作成することをさらに含む、請求項１に記載の方法。
【請求項４】
前記居住者用モバイルデバイスの位置に応答して居住者グループを作成することをさらに含む、請求項１に記載の方法。
【請求項５】
前記位置が前記建物内である、請求項４に記載の方法。
【請求項６】
前記位置が、選択された時間での投影された位置である、請求項４に記載の方法。
【請求項７】
前記位置が、前記訪問者用モバイルデバイスの選択された半径内にある、請求項４に記載の方法。
【請求項８】
前記位置が、前記訪問者用モバイルデバイスの選択された目的地の選択された半径内にある、請求項４に記載の方法。
【請求項９】
前記訪問者の要求が、前記居住者用モバイルデバイス及び前記訪問者用モバイルデバイスのうちの少なくとも１つから受信される、請求項１に記載の方法。
【請求項１０】
前記訪問者のアクセス要求が、前記建物内に位置する居住者用モバイルデバイスにのみ転送される、請求項５に記載の方法。
【請求項１１】
前記訪問者用モバイルデバイスが、選択されたエレベータかご、選択されたドア、及び選択されたフロアのうちの少なくとも１つの近傍に位置しているときを検出することをさらに含む、請求項１に記載の方法。
【請求項１２】
前記訪問者用モバイルデバイスが、選択されたエレベータかご、選択されたドア、及び選択されたフロアの少なくとも１つの近傍に位置する場合、前記訪問者のアクセス要求が、前記居住者グループ内の少なくとも１つの居住者用モバイルデバイスに転送されることをさらに含む、請求項１１に記載の方法。
【請求項１３】
アクセスが許可されると、前記訪問者用モバイルデバイスに通知を送信することをさらに含む、請求項１に記載の方法。
【請求項１４】
前記許可することが、
前記訪問者用モバイルデバイスが、前記選択されたドアに提示されたときに、前記選択されたドアのロックを解除することをさらに含む、請求項１１に記載の方法。
【請求項１５】
前記許可することが、
前記訪問者用モバイルデバイスが、前記選択されたエレベータかごに提示されたときに、前記選択されたエレベータかごを開くことをさらに含む、請求項１１に記載の方法。
【請求項１６】
前記許可することが、
前記訪問者用モバイルデバイスが、前記選択されたエレベータかごに提示されたときに、前記選択されたエレベータかごを前記選択されたフロアに移動させることをさらに含む、請求項１１に記載の方法。
【請求項１７】
前記訪問者のアクセス要求を、前記管理者用デバイスに送信することと、
前記管理者用デバイスからアクセス拒否を受信することと、
前記訪問者用モバイルデバイスに、選択されたエレベータかご、選択されたドア、及び選択されたフロアのうちの少なくとも１つへのアクセスを拒否することとをさらに含み、
アクセスを拒否することが、選択されたエレベータかご、選択されたドア、及び選択されたフロアへの許可アクセスを無効にする、請求項１に記載の方法。
【請求項１８】
許可する前に、
前記訪問者のアクセス要求を、前記管理者用デバイスに送信することと、
前記管理者用デバイスからアクセス承認を受信することとをさらに含む、請求項２に記載の方法。
【請求項１９】
建物アクセスシステムであって、
プロセッサと、
前記プロセッサによって実行されると、前記プロセッサに動作を実行させる、コンピュータ実行可能命令を含むメモリとを含み、前記動作が、
訪問者用モバイルデバイスの訪問者のアクセス要求を受信することと、
前記訪問者用モバイルデバイスに割り当てられる居住者グループを決定することであって、前記居住者グループが、少なくとも１つの居住者用モバイルデバイスを含むことと、
前記居住者グループ内の居住者用モバイルデバイス及び管理者用デバイスのうちの少なくとも１つに前記訪問者のアクセス要求を転送することと、
前記居住者グループ内の前記居住者用モバイルデバイス及び前記管理者用デバイスの少なくとも１つからアクセス許可を受信することと、
訪問者用モバイルデバイスに、選択されたエレベータかご、選択されたドア、及び選択されたフロアのうちの少なくとも１つへのアクセスを許可することとを含む、建物アクセスシステム。
【請求項２０】
コンピュータ可読媒体上に有形に具現化されたコンピュータプログラム製品であって、前記コンピュータプログラム製品は、プロセッサによって実行されると、前記プロセッサに、
訪問者用モバイルデバイスの訪問者のアクセス要求を受信することと、
前記訪問者用モバイルデバイスに割り当てられる居住者グループを決定することであって、前記居住者グループが、少なくとも１つの居住者用モバイルデバイスを含むことと、
前記居住者グループ内の居住者用モバイルデバイス及び管理者用デバイスのうちの少なくとも１つに前記訪問者のアクセス要求を転送することと、
前記居住者グループ内の前記居住者用モバイルデバイス及び前記管理者用デバイスの少なくとも１つからアクセス許可を受信することと、
訪問者用モバイルデバイスに、選択されたエレベータかご、選択されたドア、及び選択されたフロアのうちの少なくとも１つへのアクセスを許可することとを含む、動作を実行させる、前記コンピュータプログラム製品。
【発明の詳細な説明】
【技術分野】
【０００１】
本明細書で開示される主題は、一般に、建物アクセス制御の分野に関し、より詳細には、建物内のエレベータ、フロア、及び／またはドアへのアクセスを制御するための装置及び方法に関する。
【背景技術】
【０００２】
既存の建物のアクセス制御では、建物のドア、フロア及び／またはエレベータへのユーザのアクセスを制御する建物管理者が必要である。居住者は訪問者を建物に招待し得るが、訪問者が到着したときに建物にアクセスできなくなり得る。
【発明の概要】
【課題を解決するための手段】
【０００３】
一実施形態によれば、建物へのアクセスを制御する方法が提供される。方法は、訪問者用モバイルデバイスの訪問者のアクセス要求を受信することと、訪問者用モバイルデバイスに割り当てられる居住者グループを決定し、居住者グループが、少なくとも１つの居住者用モバイルデバイスを含むことと、居住者グループ内の居住者用モバイルデバイス及び管理者用デバイスのうちの少なくとも１つに訪問者のアクセス要求を転送することと、居住者グループ内の居住者用モバイルデバイス及び管理者用デバイスの少なくとも１つからアクセス許可を受信することと、訪問者用モバイルデバイスに、選択されたエレベータかご、選択されたドア、及び選択されたフロアのうちの少なくとも１つへのアクセスを許可することとを含む。
【０００４】
上述の１つまたは複数の特徴に加えて、または代替として、本方法のさらなる実施形態は、訪問者の要求が居住者用モバイルデバイスに転送される場合、及びアクセス許可が居住者用モバイルデバイスから受信される場合を含み得る。
【０００５】
上述の１つまたは複数の特徴に加えて、または代替として、本方法のさらなる実施形態は、居住者用モバイルデバイス、管理者用デバイス、及び管理者用デバイスのうちの少なくとも１つを使用して居住者グループを作成することを含み得る。
【０００６】
上述の１つまたは複数の特徴に加えて、または代替として、本方法のさらなる実施形態は、居住者用モバイルデバイスの位置に応答して居住者グループを作成することを含み得る。
【０００７】
上述の１つまたは複数の特徴に加えて、または代替として、本方法のさらなる実施形態は、位置が建物内にある場合を含み得る。
【０００８】
上述の１つまたは複数の特徴に加えて、または代替として、本方法のさらなる実施形態は、位置が選択された時刻の投影された位置である場合を含み得る。
【０００９】
上述の１つまたは複数の特徴に加えて、または代替として、本方法のさらなる実施形態は、位置が訪問者用モバイルデバイスの選択された半径内にある場合を含み得る。
【００１０】
上述の１つまたは複数の特徴に加えて、または代替として、本方法のさらなる実施形態は、位置が訪問者用モバイルデバイスの選択された目的地の選択された半径内にある場合を含み得る。
【００１１】
上述の１つまたは複数の特徴に加えて、または代替として、本方法のさらなる実施形態は、居住者用モバイルデバイス及び訪問者用モバイルデバイスのうちの少なくとも１つから訪問者の要求が受信される場合を含み得る。
【００１２】
上述の１つまたは複数の特徴に加えて、または代替として、本方法のさらなる実施形態は、訪問者のアクセス要求が、建物内に位置する居住者用モバイルデバイスにのみ転送される場合を含み得る。
【００１３】
上述の１つまたは複数の特徴に加えて、または代替として、本方法のさらなる実施形態は、訪問者用モバイルデバイスが、選択されたエレベータかご、選択されたドア、及び選択されたフロアのうちの少なくとも１つの近傍に位置しているときを検出することを含み得る。
【００１４】
上述の１つまたは複数の特徴に加えて、または代替として、本方法のさらなる実施形態は、訪問者用モバイルデバイスが、選択されたエレベータかご、選択されたドア、及び選択されたフロアのうちの少なくとも１つの近傍に位置するときに、居住者グループ内の少なくとも１つの居住者用モバイルデバイスに訪問者のアクセス要求を転送することを含み得る。
【００１５】
上述の１つまたは複数の特徴に加えて、または代替として、本方法のさらなる実施形態は、アクセスが許可されたときに訪問者用モバイルデバイスに通知を転送することを含み得る。
【００１６】
上述の１つまたは複数の特徴に加えて、または代替として、本方法のさらなる実施形態は、許可することが、訪問者用モバイルデバイスが選択されたドアに提示されたときに、選択されたドアのロックを解除することをさらに含む場合を含み得る。
【００１７】
上述の１つまたは複数の特徴に加えて、または代替として、本方法のさらなる実施形態は、許可することが、訪問者用モバイルデバイスが選択されたエレベータかごに提示されたときに、選択されたエレベータかごを開くことをさらに含む場合を含み得る。
【００１８】
上述の１つまたは複数の特徴に加えて、または代替として、本方法のさらなる実施形態は、許可することが、訪問者用モバイルデバイスが選択されたエレベータかごに提示されたときに、選択されたエレベータかごを選択されたフロアに移動させることをさらに含む場合を含み得る。
【００１９】
上述の１つまたは複数の特徴に加えて、または代替として、本方法のさらなる実施形態は、訪問者のアクセス要求を管理者用デバイスに送信することと、管理者用デバイスからアクセス拒否を受信することと、訪問者用モバイルデバイスに、選択されたエレベータかご、選択されたドア、及び選択されたフロアのうちの少なくとも１つへのアクセスを拒否することとを含み得て、アクセスを拒否することが、選択されたエレベータかご、選択されたドア、及び選択されたフロアへの許可アクセスを無効にする。
【００２０】
上述の１つまたは複数の特徴に加えて、または代替として、本方法のさらなる実施形態は、許可する前に、訪問者のアクセス要求を管理者用デバイスに転送することと、管理者用デバイスからのアクセス承認を受信することとを含み得る。
【００２１】
別の実施形態によれば、建物システムが提供される。建物アクセスシステムは、プロセッサと、プロセッサによって実行されたときに、プロセッサに動作を実行させる、コンピュータ実行可能命令を含むメモリとを含む。動作は、訪問者用モバイルデバイスの訪問者のアクセス要求を受信することと、訪問者用モバイルデバイスに割り当てられる居住者グループを決定し、居住者グループが、少なくとも１つの居住者用モバイルデバイスを含むことと、居住者グループ内の居住者用モバイルデバイス及び管理者用デバイスのうちの少なくとも１つに訪問者のアクセス要求を転送することと、居住者グループ内の居住者用モバイルデバイス及び管理者用デバイスの少なくとも１つからアクセス許可を受信することと、訪問者用モバイルデバイスに、選択されたエレベータかご、選択されたドア、及び選択されたフロアのうちの少なくとも１つへのアクセスを許可することとを含む。
【００２２】
別の実施形態によれば、コンピュータ可読媒体上に有形に具体化されたコンピュータプログラム製品が提供される。コンピュータプログラム製品は、プロセッサによって実行されると、プロセッサに、訪問者用モバイルデバイスの訪問者のアクセス要求を受信することと、訪問者用モバイルデバイスに割り当てられる居住者グループを決定し、居住者グループが、少なくとも１つの居住者用モバイルデバイスを含むことと、居住者グループ内の居住者用モバイルデバイス及び管理者用デバイスのうちの少なくとも１つに訪問者アクセス要求を転送することと、居住者グループ内の居住者用モバイルデバイス及び管理者用デバイスの少なくとも１つからアクセス許可を受信することと、訪問者用モバイルデバイスに、選択されたエレベータかご、選択されたドア、及び選択されたフロアのうちの少なくとも１つへのアクセスを許可することとを含む動作を実行させる命令を含む。
【００２３】
本開示の実施形態の技術的効果は、居住者のグループが、訪問者がユーザインターフェースを介して建物のドア、フロア、及び／またはエレベータにアクセスすることを許可する能力を含む。
【００２４】
前述の特徴及び要素は、明示的に別様に示されない限り、非排他的な様々な組み合わせで組み合わせられ得る。これらの特徴及び要素ならびにそれらの動作は、次の説明及び添付の図面に照らせば、より明らかになるであろう。しかしながら、次の説明及び図面は、本質的に例示的かつ説明的であり、非限定的であるよう意図されることを理解されたい。
【００２５】
次の説明は、いかなる意味でも限定的であると解釈されるべきではない。添付の図面を参照すると、同様の要素には同じ番号が付けられている。
【図面の簡単な説明】
【００２６】
【図１】本開示の一実施形態による、建物アクセスシステムの概略図である。
【図２】本開示の一実施形態による、図１の建物アクセスシステムで使用される居住者グループを示す図である。
【図３】本開示の一実施形態による、建物へのアクセスを制御する方法を示すフロー図である。
【発明を実施するための形態】
【００２７】
開示された装置及び方法の１つまたは複数の実施形態の詳細な説明は、例示を目的として本明細書に示され、図面を参照して限定されるものではない。
【００２８】
図１は、例示的な実施形態の建物アクセスシステム２００を示す。建物アクセスシステム２００は、建物２０２に設置されたドアシステム２０５及びエレベータシステム２０４を含む。いくつかの実施形態では、建物２０２は、物理的に互いに近くに位置していても、していなくてもよい建物または建物の集合体であり得る。建物２０２は任意の数のフロアを含み得る。建物２０２に入る人は、ロビーフロアまたは他の任意のフロアに入り得て、エレベータシステム２０４などの１つまたは複数の搬送デバイスを介して目的フロアに移動し得る。建物２０２に入る人は、ドアシステム２０５のドア（例えば、ドア２０５−１、２０５−２、．．．、２０５−ｎ）に入る必要があり得る。ドア（例えば、ドア２０５−１、２０５−２、．．．、２０５−ｎ）は、限定されるものではないが、建物の壁のドア、建物の外側のドア、ガレージドア、駐車場アクセスゲート、回転式扉、カナルロック、または当業者に知られているロック及び／または開放し得る同様のポータル／機構を含み得る。
【００２９】
エレベータシステム２０４は、コントローラ２０６などの１つまたは複数のコンピューティングデバイスに動作可能に接続され得る。コントローラ２０６は、エレベータシステム２０４に関連する１つまたは複数のエレベータかご（例えば、エレベータかご２０４−１、２０４−２．．２０４−ｎ）のディスパッチ動作を制御するように構成され得る。コントローラ２０６はまた、エレベータシステム２０４に関連する１つまたは複数のエレベータかご（例えば、エレベータかご２０４−１、２０４−２．．２０４−ｎ）へのアクセスを制御するように構成され得る。エレベータシステム２０４は、２つ以上のコントローラ２０６を利用し得て、各コントローラは、エレベータかご２０４−１及び２０４−２のグループを制御し得ることが理解されよう。図１には２台のエレベータかご２０４−１及び２０４−２が示されているが、任意の数のエレベータかご２０４−ｎをエレベータシステム２０４で使用し得ることが理解されよう。エレベータかご２０４−１及び２０４−２は、異なるフロアに対応する異なるエレベータバンク内のエレベータかご２０４−１及び２０４−２の間の調整を可能にするために、同じ昇降路または異なる昇降路に配置し得る。説明を容易にするために、エレベータシステム２０４の他の構成要素（例えば、駆動部、カウンタウェイト、安全装置など）は図示されていないことが理解されよう。
【００３０】
さらに、コントローラ２０６はまた、１つまたは複数のドア（例えば、ドア２０５−１、２０５−２、．．．２０５−ｎ）へのアクセスを制御するように構成し得る。ドアシステム２０５は、２つ以上のコントローラ２０６を利用し得て、各コントローラは、ドア２０５−１及び２０５−２のグループを制御し得ることが理解されよう。図１には２つのドア２０５−１及び２０５−２が示されているが、任意の数のエレベータかご２０５−ｎをドアシステム２０５で使用し得ることが理解されよう。説明を容易にするために、ドアシステム２０５の他の構成要素（例えば、ロック）は示されていないことが理解されよう。さらに、コントローラ２０６は、エレベータシステム２０４及び／またはドアシステム２０５を介して１つまたは複数のフロアへのアクセスを制御するように構成され得る。
【００３１】
コントローラ２０６は、図１に示すように、プロセッサ２６０、メモリ２６２、及び通信モジュール２６４を含み得る。プロセッサ２６０は、マイクロプロセッサ、マイクロコントローラ、デジタル信号プロセッサ、特定用途向け集積回路、プログラマブルロジックデバイス、及び／またはフィールドプログラマブルゲートアレイなどの、任意のタイプまたはコンピュータプロセッサの組み合わせとすることができる。メモリ２６２は、例えば、ファームウェアとしてそこに格納された実行可能命令を含む、コントローラ２０６に有形に具体化された非一時的コンピュータ可読記憶媒体の一例である。通信モジュール２６４は、本明細書でさらに詳細に説明するように、１つまたは複数の通信プロトコルを実装し得る。
【００３２】
また、図１には、居住者用モバイルデバイス２０８ａが示されている。居住者用モバイルデバイス２０８ａは、典型的には、電話、ＰＤＡ、スマートウォッチ、タブレット、ラップトップなどの人によって持ち運ばれるデバイスを含み得る。居住者用モバイルデバイス２０８ａは、図１に示すように、プロセッサ２５０ａ、メモリ２５２ａ及び通信モジュール２５４ａを含み得る。プロセッサ２５０ａは、マイクロプロセッサ、マイクロコントローラ、デジタル信号プロセッサ、特定用途向け集積回路、プログラマブルロジックデバイス、及び／またはフィールドプログラマブルゲートアレイなどの、任意のタイプまたはコンピュータプロセッサの組み合わせとすることができる。メモリ２５２ａは、例えば、ファームウェアとしてそこに格納された実行可能命令を含む、居住者用モバイルデバイス２０８ａに有形に具体化された非一時的コンピュータ可読記憶媒体の一例である。通信モジュール２５４ａは、本明細書でさらに詳細に説明するように、１つまたは複数の通信プロトコルを実装し得る。居住者用モバイルデバイス２０８ａは、建物２０２の居住者に属する。
【００３３】
また、図１には、訪問者用モバイルデバイス２０８ｂが示されている。訪問者用モバイルデバイス２０８ｂは、典型的には、電話、ＰＤＡ、スマートウォッチ、タブレット、ラップトップなどの人によって持ち運ばれるデバイスを含み得る。訪問者用モバイルデバイス２０８ｂは、図１に示すように、プロセッサ２５０ｂ、メモリ２５２ｂ及び通信モジュール２５４ｂを含み得る。プロセッサ２５０ｂは、マイクロプロセッサ、マイクロコントローラ、デジタル信号プロセッサ、特定用途向け集積回路、プログラマブルロジックデバイス、及び／またはフィールドプログラマブルゲートアレイなどの、任意のタイプまたはコンピュータプロセッサの組み合わせとすることができる。メモリ２５２ｂは、例えば、ファームウェアとしてそこに格納された実行可能命令を含む、訪問者用モバイルデバイス２０８ｂに有形に具体化された非一時的コンピュータ可読記憶媒体の一例である。通信モジュール２５４ｂは、本明細書でさらに詳細に説明するように、１つまたは複数の通信プロトコルを実装し得る。訪問者用モバイルデバイス２０８ｂは、例えば、食品配達業者、宅配業者、サービス／保守業者、ベビーシッター、長期訪問者、短期訪問者、及び再訪問者などの建物２０２の訪問者に属し得る。
【００３４】
また、図１には、管理者用デバイス２０８ｃが示されている。管理者用デバイス２０８ｂは、デスクトップコンピュータなどのコンピューティングデバイスであり得る。管理者用デバイス２０８ｂはまた、典型的には、例えば、電話、ＰＤＡ、スマートウォッチ、タブレット、ラップトップなどの人によって持ち運ばれるモバイルコンピューティングデバイスであり得る。管理者用デバイス２０８ｃは、図１に示すように、プロセッサ２５０ｃ、メモリ２５２ｃ及び通信モジュール２５４ｃを含み得る。プロセッサ２５０ｃは、マイクロプロセッサ、マイクロコントローラ、デジタル信号プロセッサ、特定用途向け集積回路、プログラマブルロジックデバイス、及び／またはフィールドプログラマブルゲートアレイなどの、任意のタイプまたはコンピュータプロセッサの組み合わせとすることができる。メモリ２５２ｃは、例えば、ファームウェアとしてそこに格納された実行可能命令を含む、管理者用デバイス２０８ｃに有形に具体化された非一時的コンピュータ可読記憶媒体の一例である。通信モジュール２５４ｃは、本明細書でさらに詳細に説明するように、１つまたは複数の通信プロトコルを実装し得る。管理者用デバイス２０８ｃは、建物２０２の管理者に属し得て、アクセスを許可及び／または拒否する際に、居住者用モバイルデバイス２０８ａに代わる権限を有し得る。
【００３５】
説明を容易にするために、居住者用モバイルデバイス２０８ａ、訪問者用モバイルデバイス２０８ｂ、及び管理者用デバイス２０８ｃは、すべて、デバイス２０８と称し得る。デバイス２０８及びコントローラ２０６は、互いに通信する。例えば、デバイス２０８及びコントローラ２０６とは、互いに近接している（例えば、閾値距離以内にいる）ときに互いに通信し得る。デバイス２０８及びコントローラ２０６は、８０２．１１ｘ（ＷｉＦｉ）、短距離無線（Ｂｌｕｅｔｏｏｔｈ）、セルラ、衛星などの無線ネットワークを介して通信し得る。いくつかの実施形態では、コントローラ２０６は、キオスク、ビーコン、ホール呼び設備、ランタン、ブリッジ、ルータ、ネットワークノード、ドアロック、エレベータコントロールパネル、建物インターホンシステムなどのネットワーク化された要素を含み得るか、または関連付けられ得る（例えば、通信可能に結合され得る）。ネットワーク化された要素は、１つまたは複数の通信プロトコルまたは規格を使用してデバイス２０８と通信し得る。例えば、ネットワーク化された要素は、近距離通信（ＮＦＣ）を使用してデバイス２０８と通信し得る。他の実施形態では、コントローラ２０６は、建物２０２の外部にあるデバイス２０８との通信を確立し得る。この接続は、非限定的な例として、ＧＰＳ、三角測量、または信号強度検出を含む様々な技術によって確立し得る。例示的な実施形態では、デバイス２０８は、複数の独立した有線及び／または無線ネットワークを介してコントローラ２０６と通信する。実施形態は、デバイス２０８とコントローラ２０６との間の多種多様な通信をカバーすることを意図するものであり、実施形態は本開示で提供される例に限定されるものではない。デバイス２０８とコントローラ２０６との間の通信は、コントローラ２０６が、エレベータシステム２０４及び／またはドアシステム２０５に関連するデバイス２０８の位置を決定することを可能にする。デバイス２０８の相対的な位置を知ることにより、コントローラ２０６は、アクセスを要求するエレベータシステム２０４及び／またはドアシステム２０５で、いつデバイス２０８が提示されるかを決定することを可能にする。
【００３６】
実施形態は、訪問者アクセスアプリケーション２５５ａ、２５５ｂ、２５５ｃを介してデバイス２０８上にユーザインターフェースを生成する。訪問者アクセスアプリケーション２５５ａは、建物２０２の選択されたエレベータかご、選択されたフロア、及び／または建物２０２の選択されたドアへの訪問者へのアクセスを許可するために、居住者によって使用され得る。例えば、居住者用モバイルデバイス２０８ａ上の訪問者アクセスアプリケーション２５５ａを使用する居住者は、訪問者へのアクセスを許可し得て、訪問者用モバイルデバイス２０８ｂは、建物２０２の選択されたエレベータかご、選択されたフロア及び／または建物２０２の選択されたドアを開くための識別として使用される。例えば、居住者は、建物２０２の正面ドアを開け、第１のエレベータかごで第５のフロアまで上がり、居住者のドアを開けるために、ベビーシッターのアクセスを許可し得る。建物内でベビーシッターは、居住者によって許可されたもの以外のドア、エレベータ、またはフロアにアクセスし得ない。訪問者用モバイルデバイス２０８ｂ上の識別コードは、各選択されたエレベータかご、選択されたフロア、及び選択されたドアでコントローラ２０６との通信を介して訪問者を識別する。識別コードは、限定されるものではないが、生成コード、バイオメトリック、または固有の電磁的な署名を含み得る。
【００３７】
非限定的な例では、識別コードを取得／有効化するために、居住者は、訪問者の情報を訪問者アクセスアプリケーション２５５ａに送信し得て、訪問者アクセスアプリケーション２５５ａは、建物管理者によって居住者のために作成されたものと同様の訪問者のアクセスプロファイルを生成する。訪問者は、訪問者アクセスアプリケーション２５５ａをダウンロードするための電子メール招待状を受信し得て、その後、インストールし、提供されたコードを使用して訪問者アクセスアプリケーション２５５ａのアカウントを作成し、同じ電子メールを使用して建物２０２に登録することによって、それらの使用を検証する。この検証された電子メール及び（コードによって検証された）電話の訪問者アクセスアプリケーション２５５ａを介して、建物アクセスシステム２００は、建物２０２の様々な場所での安全なアクセスの目的で、訪問者を有効なユーザとして認識する。訪問者が登録されると、訪問者用モバイルデバイス２０８ｂの識別コードが、建物アクセスデータベース２６３内の登録済み訪問者リストに追加される。建物アクセスデータベース２６３は、コントローラ２０６に動作可能に接続され得るか、またはコントローラ２０６内に格納され得る。一実施形態では、建物アクセスデータベース２６３は、オフサイト、遠隔、またはクラウドに格納し得る。訪問者が登録されると、居住者グループ３２６が訪問者に関連付けられる。居住者グループ３２６はまた、建物アクセスデータベース２６３に格納し得る。居住者グループ３２６は、選択されたドア、選択されたフロア、及び選択されたエレベータのうちの少なくとも１つへの訪問者のアクセスをそれぞれ許可または拒否し得る居住者のグループである。居住者グループ３２６は、コントローラ２０６によって訪問者に自動的に割り当てられ得るか、または居住者もしくは訪問者によって訪問者に手動で割り当てられ得る。
【００３８】
図２は、居住者グループ３２６−１、３２６−２、３２６−３を含む潜在的な居住者グループ３２６の例を示す。図２を参照すると、訪問者が訪問者用モバイルデバイス２０８ｂを持って建物２０２まで来ると、アラートが建物２０２へのアクセスを要求する居住者グループ３２６に送信され得る。居住者グループ３２６の任意のメンバーは、訪問者に建物２０２へのアクセスを許可し得る。アクセスは、建物２０２全体に許可され得る、及び／またはアクセスは、選択されたドア（例えば、２０５−１、２０５−２）、選択されたエレベータ（例えば、２０４−１）、及び選択された建物フロア（例えば、２０８ａ〜２０８ｆ）に許可され得る。居住者グループ３２６は、様々な方法で構成し得る。一例では、訪問者が第１のフロア２８０ａ上のドア２０５−１にアクセスする必要がある場合、図２に示すように、通知が居住者グループ３２６−１内の第１のフロア２８０ａ上のすべての居住者に送信され得る。第２の例では、訪問者が建物２０２の片側２０２−１にウィンドウを固定している場合には、図２に示すように、通知が居住者グループ３２６−２内の建物の側２０２−１上のすべての居住者に送信され得る。第３の例では、訪問者が建物２０２の第４のフロア２８０ｄにアイテムを固定している場合、図２に示すように、通知が居住者グループ３２６−３内の建物の第４のフロア２８０ｄのすべての居住者に送信され得る。図２に示されていない第４の例では、訪問者が建物２０２に到着したときに、通知が建物２０２に現在存在しているグループ３２６のメンバーに送信され得る。居住者グループ３２６は、居住者用モバイルデバイス２０８ａで建物の居住者によって手動で、訪問者用モバイルデバイス２０８ｂで訪問者によって手動で、管理者用デバイス２０８ｃで管理者によって手動で、またはコントローラ２０６によって自動的に作成し得る。コントローラ２０６は、居住者用モバイルデバイス２０８ｃの位置に応答して、居住者グループ３２６を自動的に作成し得る。位置は、選択された時間での現在の位置及び／または投影された位置であり得る。位置は建物内にあり得る。位置は、訪問者用モバイルデバイス２０８ｂの選択された半径内にあり得る。位置はまた、訪問者用モバイルデバイスの選択された目的地の選択された半径内にあり得る。例えば、訪問者は、電灯を修理するために第４のフロア２８０ｄに移動し得て、したがって、第４のフロアの誰にでも、アクセスを許可するように通知し得る。非限定的な例では、居住者グループ３２６は、家族及び／またはソーシャルメディアグループも含み得る。上述したように、居住者グループ３２６は、メンバーの同意を得てまたは得ることなく自動的に及び／または手動で作成し得て、居住者グループ３２６のメンバーは、要求を送信することによってグループから自分自身を削除することができ得る。
【００３９】
ここで、図１〜図２の構成要素を参照しながら、図３を参照する。図３は、本開示の一実施形態による、建物２０２へのアクセスを許可する方法４００のフローチャートを示す。ブロック４０４ａ及び４０４ｂでは、コントローラ２０６は、訪問者の訪問者用モバイルデバイス２０８ｂの訪問者のアクセス要求を受信する。上述のように、訪問者用モバイルデバイス２０８ｂは、訪問者用デバイス２０８を訪問者に属するものとして識別する識別コードを含む。訪問者のアクセス要求は、ブロック４０４ａのように、居住者用モバイルデバイス２０８ａ及び管理者用デバイス２０８ｃのうちの少なくとも１つから送信され得る。訪問者のアクセス要求は、ブロック４０４ｂのように、訪問者用モバイルデバイス２０８ｂから送信され得る。
【００４０】
ブロック４０６では、訪問者に割り当てられる居住者グループ３２６が決定される。居住者グループ３２６は、コントローラ２０６によって訪問者に自動的に割り当てられ得る。居住者グループ３２６は、ブロック４０４ａで居住者用モバイルデバイス２０８ａから訪問者のアクセス要求が送信されたときに居住者によって選択され得る。また、居住者グループ３２６は、訪問者のアクセス要求がブロック４０４ｂで訪問者用モバイルデバイス２０８ｂから送信されたときに訪問者によって選択され得る。
【００４１】
ブロック４０８では、訪問者のアクセス要求は、居住者グループ３２６内の居住者用モバイルデバイス２０８ａ及び管理者用デバイス２０８ｃのうちの少なくとも１つに転送される。一実施形態では、訪問者のアクセス要求は、建物２０２内に位置する居住者用モバイルデバイス２０８ａにのみ転送される。別の実施形態では、訪問者のアクセス要求は、訪問者が建物２０２に到着したときに転送し得る。一実施形態では、コントロールシステム２０６は、訪問者用モバイルデバイス２０８ｂが、選択されたエレベータかご、選択されたドア、及び選択されたフロアの少なくとも１つの近傍に位置するときを検出する。別の実施形態では、訪問者用モバイルデバイス２０８ｂが、選択されたエレベータかご、選択されたドア、及び選択されたフロアの少なくとも１つの近傍に位置する場合、訪問者のアクセス要求は、居住者グループ３２６内の少なくとも１つの居住者用モバイルデバイス２０８ａに転送される。管理者用デバイス２０８ｃを有する管理者は、居住者用モバイルデバイス２０８ａを監視制御し、訪問者用モバイルデバイス２０８ｂへのアクセス承認を拒否または許可し得て、次いで、アクセス承認はコントローラ２０６に送信される。管理者はまた、居住者グループ３２６を形成または解体し得る。管理者用デバイス２０８ｃから送信された管理者の決定は、居住者用モバイルデバイス２０８ａからのアクセス及び／またはグループ決定の許可を無効にする。
【００４２】
ブロック４１０では、コントローラ２０６は、居住者グループ３２６及び管理者用デバイス２０８ｃ内の居住者用モバイルデバイス４０８ａの少なくとも１つからアクセス許可を受信する。ブロック４１２では、訪問者用モバイルデバイス２０８ｂは、選択されたエレベータかご、選択されたドア、及び選択されたフロアのうちの少なくとも１つへのアクセスを許可される。アクセスは、選択された期間、選択された日付、及び繰り返しスケジュールのうちの少なくとも１つを含む特定の時間に許可され得る。アクセスが許可されると、通知が訪問者用モバイルデバイス２０８ｂに送信され得る。通知は、選択されたドア、選択されたエレベータかご、及び選択されたフロアのうちの少なくとも１つへの訪問者のアクセスが許可されたことを示し得る。アクセスが許可されると、訪問者は訪問者用モバイルデバイス２０８ｂを使用して、選択されたエレベータかご、選択されたドア、及び選択されたフロアのうちの少なくとも１つにアクセスすることができるようになる。一例では、アクセスが許可されると、選択されたドアは、訪問者用モバイルデバイス２０８ｂが選択されたドアに提示されたときにロック解除される。第２の例では、アクセスが許可されると、選択されたエレベータかごは、訪問者用モバイルデバイス２０８ｂが選択されたエレベータかごに提示されたときに開く。第３の例では、アクセスが許可されると、選択されたエレベータかごは、訪問者用モバイルデバイス２０８ｂが選択されたエレベータかごに提示されたときに選択されたフロアに移動する。
【００４３】
上記の説明では、図３のフロープロセスを特定の順序で説明したが、添付の特許請求の範囲において特に要求されない限り、手順の順序を変更し得ることを理解されたい。
【００４４】
上記のように、実施形態は、プロセッサ実行プロセス及びプロセッサなどのこれらのプロセスを実施するためのデバイスの形態とすることができる。実施形態は、ネットワーククラウドストレージ、ＳＤカード、フラッシュドライブ、フロッピーディスケット、ＣＤ−ＲＯＭ、ハードドライブ、または任意の他のコンピュータ可読記憶媒体などの有形の媒体に具体化された命令を含むコンピュータプログラムコードの形態とすることもでき、コンピュータプログラムコードが、コンピュータにロードされ、コンピュータによって実行されると、コンピュータが、実施形態を実施するためのデバイスとなる。実施形態はまた、例えば、記憶媒体に格納され、コンピュータにロードされ及び／またはコンピュータによって実行されるか、またはいくつかの伝送媒体を介して送信され、コンピュータによってロードされ及び／または実行されるか、または電気配線もしくはケーブル配線を介して、光ファイバーを介して、もしくは電磁放射を介してなどの、いくつかの伝送媒体を介して伝送されるかにかかわらず、コンピュータプログラムコードの形態とすることもでき、コンピュータプログラムコードが、コンピュータにロードされ、コンピュータによって実行されると、コンピュータが、実施形態を実施するためのデバイスとなる。汎用マイクロプロセッサに実装される場合、コンピュータプログラムコードセグメントは、マイクロプロセッサを構成して、特定の論理回路を生成する。
【００４５】
「約」という用語は、出願時に利用可能な装置に基づいて、特定の量の測定に関連する誤差の程度を含むことが意図される。例えば、「約」は、所与の値の±８％もしくは５％、または２％の範囲を含むことができる。
【００４６】
本明細書に使用される用語は、特定の実施形態を説明する目的のためであり、本開示を限定することを意図するものではない。本明細書で使用される、単数形「ａ」、「ａｎ」、及び「ｔｈｅ」は、文脈が明らかにそれ以外を示さない限り、複数形も同様に含むことが意図される。「含む（ｃｏｍｐｒｉｓｅｓ）」及び／または「含む（ｃｏｍｐｒｉｓｉｎｇ）」という用語は、本明細書で使用されるとき、記載されている特徴、整数、ステップ、動作、要素、及び／または構成要素の存在を指定するが、１つまたは複数の他の特徴、整数、ステップ、動作、要素部品、及び／またはそれらの群の存在または追加を除外しないことがさらに理解されるであろう。
【００４７】
本開示は、例示の実施形態（複数可）を参照して説明したが、本開示の範囲から逸脱することなく、様々な変更がなされ得て、その要素に代えて均等物が置換され得ることを当業者ならば理解するであろう。加えて、本発明の必須の範囲から逸脱することなく、多くの修正を行って特定の状況または材料を本開示の教示に適合させ得る。したがって、本開示は、本開示を実施するために企図される最良の形態として開示される特定の実施形態に限定されず、本開示は、特許請求の範囲内に収まるすべての実施形態を含むことが意図される。
【図１】
2018174529.tif 000003
【図２】
2018174529.tif 000004
【図３】
2018174529.tif 000005